(57)【要約】【課題】複数の機器間において画像処理実行時に画像データを送受信することなくコマンドに応じた画像処理を実行することが可能なＴＶ等を提供すること。【解決手段】ＴＶ１００が、画像データを一意に識別するための固有情報と、画像処理指示内容を示すコマンドとを他の機器から受信する通信部１３０と、複数の画像データ１２２を記憶する記憶部１２０と、前記固有情報に基づき、前記複数の画像データ１２２から画像処理対象の画像データ１２２を決定する画像決定部１１２と、前記コマンドに基づき、前記画像決定部１１２によって決定された画像データ１２２に対して前記画像処理指示内容に応じた画像処理を実行する画像処理部１１８とを含んで構成される。【選択図】図１
2007286343.tif 000002
【特許請求の範囲】
【請求項１】
他の機器と有線または無線の伝送路を介して接続可能なＴＶであって、
画像データを一意に識別するための固有情報と、画像処理指示内容を示すコマンドとを前記他の機器から受信する通信部と、
複数の画像データを記憶する記憶部と、
前記固有情報に基づき、前記複数の画像データから画像処理対象の画像データを決定する画像決定部と、
前記コマンドに基づき、前記画像決定部によって決定された画像データに対して前記画像処理指示内容に応じた画像処理を実行する画像処理部と、
を含むことを特徴とするＴＶ。
【請求項２】
請求項１記載のＴＶにおいて、
前記固有情報を生成する固有情報生成部と、
更新部と、
を含み、
前記通信部は、前記他の機器から画像情報を受信し、
前記固有情報生成部は、前記通信部によって受信された画像情報と、前記他の機器が前記固有情報を生成するために用いる算法と同一の算法とに基づき、前記固有情報を生成し、
前記更新部は、前記通信部によって受信された画像情報と、前記固有情報生成部によって生成された固有情報とを関連付けて前記記憶部に記憶することを特徴とするＴＶ。
【請求項３】
請求項１、２のいずれかに記載のＴＶにおいて、
画像を表示する表示部を含み、
前記コマンドは、画像表示に関する指示を示し、
前記画像処理部は、前記画像決定部によって決定された画像データに基づき、画像を生成し、
前記表示部は、当該画像を表示することを特徴とするＴＶ。
【請求項４】
請求項３に記載のＴＶにおいて、
前記他の機器は、画像表示機器であって、
前記通信部は、前記画像表示機器によって表示または選択された画像の固有情報を受信し、
前記表示部は、当該固有情報で識別される画像を表示することを特徴とするＴＶ。
【請求項５】
請求項３、４のいずれかに記載のＴＶにおいて、
前記更新部は、前記通信部によって受信された画像情報を前記表示部の表示能力に応じて編集するとともに、編集後の画像情報と、前記固有情報とを関連付けて前記記憶部に記憶することを特徴とするＴＶ。
【請求項６】
請求項３〜５のいずれかに記載のＴＶにおいて、
前記更新部は、前記通信部によって受信された画像情報をサムネイル画像用に編集し、
前記画像処理部は、前記コマンドがサムネイル画像表示指示を示す場合、前記画像決定部によって決定された画像データに基づき、サムネイル画像を生成し、
前記表示部は、当該サムネイル画像を表示することを特徴とするＴＶ。
【請求項７】
請求項１〜６のいずれかに記載のＴＶにおいて、
前記更新部は、前記通信部によって受信された画像データを前記記憶部の記憶容量に応じて編集するとともに、編集後の画像データと、前記固有情報とを関連付けて前記記憶部に記憶することを特徴とするＴＶ。
【請求項８】
他の機器と有線または無線の伝送路を介して接続可能な画像処理機器における画像処理方法であって、
前記画像処理機器の通信部は、画像データを一意に識別するための固有情報と、画像処理指示内容を示すコマンドとを前記他の機器から受信し、
前記画像処理機器の画像決定部は、前記固有情報に基づき、前記画像処理機器に記憶された複数の画像データから画像処理対象の画像データを決定し、
前記画像処理機器の画像処理部は、前記コマンドに基づき、決定した画像データに対して前記画像処理指示内容に応じた画像処理を実行することを特徴とする画像処理方法。
【発明の詳細な説明】
【技術分野】
【０００１】
本発明は、ＴＶおよび画像処理方法に関する。
【背景技術】
【０００２】
近年、複数の機器を連携させて動作させるための仕様が作成されつつある。例えば、ＤＬＮＡ(Digital Living Network Alliance)では、ホームネットワークを用いてＡＶ機器、ＰＣ、情報家電を相互に接続し、連携して利用するための仕様が定められている。
【０００３】
しかし、ＤＬＮＡに準拠した機器同士を接続する場合であっても、一般的な画像データの保存方法は、機器固有のファイル名や番号を画像データに付加して保存する方法となっている。このため、ある機器で表示している画像を他の機器でも表示する場合、画像データを毎回転送する必要があり、通信帯域等の制限で即座に表示することは難しい。
【０００４】
画像データを一意に識別するための手法としては、ハッシュ関数を用いて画像データからハッシュ値を生成し、当該ハッシュ値を用いて画像データを管理する手法がある。例えば、特許文献１では、ハッシュ値等の画像識別情報を検索キーとして画像データを検索することが記載されている。
【０００５】
また、特許文献２では、ハッシュ値等の識別情報に基づき、画像データの重複を判別して重複しない画像データと当該画像データの識別情報とを関連付けて記憶する画像管理装置等が記載されている。
【特許文献１】特開２００５−２５２７１５号公報
【特許文献２】特開２００１−３０９２１９号公報
【発明の開示】
【発明が解決しようとする課題】
【０００６】
しかし、特許文献１、２では、サーバーでの動作が想定されており、ＴＶ等の画像処理機器での動作は想定されていない。このため、特許文献１、２の構成を単純にＤＬＮＡに準拠した機器に適用することはできない。
【０００７】
本発明の目的は、複数の機器間において画像処理実行時に画像データを送受信することなくコマンドに応じた画像処理を実行することが可能なＴＶおよび画像処理方法を提供することである。
【課題を解決するための手段】
【０００８】
上記課題を解決するため、本発明に係るＴＶは、他の機器と有線または無線の伝送路を介して接続可能なＴＶであって、
画像データを一意に識別するための固有情報と、画像処理指示内容を示すコマンドとを前記他の機器から受信する通信部と、
複数の画像データを記憶する記憶部と、
前記固有情報に基づき、前記複数の画像データから画像処理対象の画像データを決定する画像決定部と、
前記コマンドに基づき、前記画像決定部によって決定された画像データに対して前記画像処理指示内容に応じた画像処理を実行する画像処理部と、
を含むことを特徴とする。
【０００９】
また、本発明に係る画像処理方法は、他の機器と有線または無線の伝送路を介して接続可能な画像処理機器における画像処理方法であって、
前記画像処理機器の通信部は、画像データを一意に識別するための固有情報と、画像処理指示内容を示すコマンドとを前記他の機器から受信し、
前記画像処理機器の画像決定部は、前記固有情報に基づき、前記画像処理機器に記憶された複数の画像データから画像処理対象の画像データを決定し、
前記画像処理機器の画像処理部は、前記コマンドに基づき、決定した画像データに対して前記画像処理指示内容に応じた画像処理を実行することを特徴とする。
【００１０】
本発明によれば、ＴＶ等は、固有情報に基づいて画像処理対象の画像データを決定することができるため、複数の機器間において画像処理実行時に画像データを送受信することなくコマンドに応じた画像処理を実行することができる。
【００１１】
また、前記ＴＶおよび前記画像処理機器は、
前記固有情報を生成する固有情報生成部と、
更新部と、
を含み、
前記通信部は、前記他の機器から画像情報を受信し、
前記固有情報生成部は、前記通信部によって受信された画像情報と、前記他の機器が前記固有情報を生成するために用いる算法と同一の算法とに基づき、前記固有情報を生成し、
前記更新部は、前記通信部によって受信された画像情報と、前記固有情報生成部によって生成された固有情報とを関連付けて前記記憶部に記憶してもよい。
【００１２】
これによれば、ＴＶ等は、他の機器から画像データを受信した際に当該他の機器と同一の算法で固有情報を生成し、当該固有情報と画像データを関連付けて記憶することにより、複数の機器間において画像処理実行時に画像データを送受信することなくコマンドに応じた画像処理を実行することができる。
【００１３】
また、前記ＴＶおよび前記画像処理機器は、
画像を表示する表示部を含み、
前記コマンドは、画像表示に関する指示を示し、
前記画像処理部は、前記画像決定部によって決定された画像データに基づき、画像を生成し、
前記表示部は、当該画像を表示してもよい。
【００１４】
これによれば、ＴＶ等は、他の機器からの画像表示に関する指示に応じて即座に画像を表示することができる。
【００１５】
また、前記ＴＶおよび前記画像処理方法において、
前記他の機器は、画像表示機器であって、
前記通信部は、前記画像表示機器によって表示または選択された画像の固有情報を受信し、
前記表示部は、当該固有情報で識別される画像を表示してもよい。
【００１６】
これによれば、ＴＶ等は、他の機器と連携して即座に画像を表示することができる。
【００１７】
また、前記ＴＶおよび前記画像処理方法において、
前記更新部は、前記通信部によって受信された画像情報を前記表示部の表示能力に応じて編集するとともに、編集後の画像情報と、前記固有情報とを関連付けて前記記憶部に記憶してもよい。
【００１８】
これによれば、ＴＶ等は、表示部の表示能力に応じて編集した画像データと、固有情報とを関連付けて記憶することにより、表示部が画像を表示する際に適切な画像を表示することができる。
【００１９】
また、前記ＴＶおよび前記画像処理方法において、
前記更新部は、前記通信部によって受信された画像情報をサムネイル画像用に編集し、
前記画像処理部は、前記コマンドがサムネイル画像表示指示を示す場合、前記画像決定部によって決定された画像データに基づき、サムネイル画像を生成し、
前記表示部は、当該サムネイル画像を表示してもよい。
【００２０】
これによれば、ＴＶ等は、画像の表示指示があった場合に元の画像に代えてサムネイル画像を表示することができる。
【００２１】
また、前記ＴＶおよび前記画像処理方法において、
前記更新部は、前記通信部によって受信された画像データを前記記憶部の記憶容量に応じて編集するとともに、編集後の画像データと、前記固有情報とを関連付けて前記記憶部に記憶してもよい。
【００２２】
これによれば、ＴＶ等は、例えば、記憶部の空き容量が記憶可能容量の半分より少ない場合は画像データを圧縮して記憶することにより、より多くの画像データを記憶することができる。
【発明を実施するための最良の形態】
【００２３】
以下、本発明をＴＶ(Television)に適用した場合を例に取り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００２４】
図１は、本実施例のＴＶ１００の機能ブロック図である。
【００２５】
ＴＶ１００およびフォトビューワ２００は、ＤＬＮＡの仕様に準拠した画像処理機器（画像表示機器）の一種である。
【００２６】
ＴＶ１００は、処理部１１０と、複数の画像データ１２２を記憶する記憶部１２０と、フォトビューワ２００と有線または無線の伝送路を介して通信可能な通信部１３０と、表示部１４０と、操作部１５０と、その他の一般的なＴＶの構成（例えば、音声出力部、チューナー部等）を有している。
【００２７】
また、処理部１１０は、記憶部１２０の複数の画像データ１２２から画像処理対象の画像データ１２２を決定する画像決定部１１２と、画像決定部１２２によって決定された画像データ１２２に対して画像処理指示内容に応じた画像処理を実行する画像処理部１１８と、画像情報に基づいて固有情報を生成する固有情報生成部１１４と、画像情報と固有情報とを関連付けて画像データ１２２として記憶部１２０に記憶したり、既存の画像データ１２２を更新（編集）したりする更新部１１６とを含んで構成されている。
【００２８】
また、画像表示機器の一種であるフォトビューワ２００は、操作部２５０と、通信部２３０と、画像データ２２２を記憶した記憶部２２０と、画像データ２２２に基づく固有情報の生成等を行う処理部２１０と、表示部２４０とを含んで構成されている。
【００２９】
なお、上述した各部の機能を実装するためのハードウェアとしては、例えば、通信部１３０、２３０としては無線ＬＡＮ等、処理部１１０、２１０としてはＣＰＵ、画像処理回路等、記憶部１２０、２２０としてはＨＤＤ等、表示部１４０、２４０としては液晶パネル、液晶駆動回路、投写用の光源、レンズ等、操作部１５０、２５０としてはボタン等を採用してもよい。
【００３０】
また、これらの各部は回路のようにハードウェア的に実装されてもよいし、プログラムのようにソフトウェア的に実装されてもよい。
【００３１】
ここで、画像データ２２２のデータ構造について説明する。
【００３２】
図２（Ａ）は、フォトビューワ２００における画像データ２２２の一例を示す図である。
【００３３】
処理部２１０は、画像を表示するための画像情報からハッシュ関数（例えば、ＭＤ５、ＳＨＡ−１等）を用いて当該画像情報を一意に識別するためのハッシュ値（固有情報）を生成する。そして、処理部２１０は、当該ハッシュ値を、画像情報（データ）、当該画像情報のファイル名とを関連付けて画像データ２２２として記憶部２２０に記憶する。
【００３４】
なお、説明を簡単にするため、図２（Ａ）等では固有情報を「ＡＢＣＡＢＣＡＢＣ」といった値で表しているが、実際には、ハッシュ値は、例えば、１６進数で３２桁、１２８ビットで表される値である。
【００３５】
ここでは、フォトビューワ２００における「ＤＳＣ１２３４５．ｊｐｇ」というファイル名の画像データ２２２の固有情報が「ＡＢＣＡＢＣＡＢＣ」であり、「ＤＳＣ６７８９０．ｊｐｇ」というファイル名の画像データ２２２の固有情報が「ＸＹＺＸＹＺＸＹＺ」であるものとする。
【００３６】
次に、ＴＶ１００が、フォトビューワ２００から画像情報を受信して記憶する手順について説明する。
【００３７】
図３は、本実施例の画像データ１２２の記憶手順を示すフローチャートである。
【００３８】
ユーザーは、フォトビューワ２００の表示部２４０によって画面に表示された画像の一覧から転送対象の画像を選択し、転送指示を行う。処理部２１０は、操作部２５０からの選択された画像の識別情報と転送指示に応じて画像データ２２２を選択し、画像データ２２２のデータのみを通信部２３０に転送する。なお、処理部２１０は、ユーザーによって選択された画像に代えて表示部２４０によって表示された画像の画像データ２２２を選択してもよい。
【００３９】
通信部２３０は、操作部２５０からの転送指示コマンドに応じて処理部２１０からのデータ（画像情報）をＴＶ１００へ向け送信する。
【００４０】
ＴＶ１００の通信部１３０は、フォトビューワ２００から画像情報を受信する（ステップＳ１）。
【００４１】
固有情報生成部１１４は、処理部２１０で固有情報を生成する際に用いられたハッシュ関数の算法（アルゴリズム）と同一の算法を用いて画像情報から固有情報を生成する（ステップＳ２）。
【００４２】
図２（Ｂ）は、ＴＶ１００における画像データ１２２の一例を示す図である。
【００４３】
例えば、フォトビューワ２００から「ＤＳＣ１２３４５．ｊｐｇ」を受信し、更新部１１６が、固有情報と、画像情報と、ＴＶ１００内部で自動的に画像情報に付加されるファイル名とを関連付けて画像データ１２２として記憶部１２０に記憶した場合、図２（Ｂ）に示すように、ファイル名が「Ｐｉｃｔｕｒｅ１．ｊｐｇ」で、固有情報が「ＡＢＣＡＢＣＡＢＣ」となる。
【００４４】
すなわち、固有情報生成部１１４が処理部２１０と同一の算法を用いることにより、「ＤＳＣ１２３４５．ｊｐｇ」の画像情報は、ＴＶ１００とフォトビューワ２００とでファイル名は異なるが固有情報が一致する。
【００４５】
なお、本実施例では、更新部１１６は、画像情報をそのまま記憶するのではなく、編集後の画像情報を記憶するように構成されている。
【００４６】
すなわち、更新部１１６は、画像情報を表示部１４０の表示能力に応じて編集する（ステップＳ３）。より具体的には、更新部１１６は、例えば、元の画像情報が１６００×１２００ドットの情報であり、表示部１４０の表示可能画素数が６４０×４８０ドットである場合、元の画像情報を６４０×４８０ドットの画像データに変更する編集処理を実行してもよい。
【００４７】
また、更新部１１６は、例えば、元の画像情報がアスペクト比４：３の情報であり、表示部１４０の表示可能アスペクト比が１６：９である場合、元の画像情報をアスペクト比１６：９の画像データに変更する編集処理を実行してもよい。また、更新部１１６は、元の画像情報をサムネイル画像用の画像データに変更する編集処理を実行してもよい。
【００４８】
そして、更新部１１６は、編集後の画像データと、固有情報生成部１１４によって生成された固有情報と、ＴＶ１００内部で自動的に画像情報に付加されるファイル名とを関連付けて画像データ１２２として記憶部１２０に記憶する（ステップＳ４）。
【００４９】
図２（Ｃ）は、ＴＶ１００における画像データ１２２の他の一例を示す図である。
【００５０】
例えば、フォトビューワ２００から「ＤＳＣ１２３４５．ｊｐｇ」を受信し、更新部１１６が、固有情報と、編集後の画像データと、ＴＶ１００内部で自動的に当該画像データに付加されるファイル名とを関連付けて画像データ１２２として記憶部１２０に記憶した場合、図２（Ｃ）に示すように、ファイル名が「Ｐｉｃｔｕｒｅ１−Ｍｏｄｉｆｙ．ｊｐｇ」で、固有情報が「ＡＢＣＡＢＣＡＢＣ」となる。
【００５１】
以上のように、ＴＶ１００は、画像情報の受信時に編集後の画像データに元の画像情報と同一の固有情報を関連付けて記憶しておくことにより、画像データ１２２の検索時に元の画像情報の固有情報を用いて検索することが可能になる。
【００５２】
次に、本実施例の画像の表示手順について説明する。
【００５３】
図４は、本実施例の画像の表示手順を示すフローチャートである。
【００５４】
ユーザーは、フォトビューワ２００の表示部２４０によって画面に表示された画像の一覧から表示対象の画像を選択し、表示指示を行う。処理部２１０は、操作部２５０からの選択された画像の識別情報と表示指示に応じて画像データ２２２を選択し、画像データ２２２の固有情報のみを通信部２３０に転送する。
【００５５】
通信部２３０は、操作部２５０からの表示指示コマンドと、当該表示指示コマンドに応じた処理部２１０からの固有情報をＴＶ１００へ向け送信する。
【００５６】
ＴＶ１００の通信部１３０は、フォトビューワ２００から表示指示コマンドと表示対象画像の固有情報を受信する（ステップＳ１１）。
【００５７】
画像決定部１１２は、通信部１３０によって受信された固有情報に基づき、対象の画像データ１２２を決定する（ステップＳ１２）。例えば、固有情報が「ＡＢＣＡＢＣＡＢＣ」である場合、画像決定部１１２は、ファイル名が「Ｐｉｃｔｕｒｅ１−Ｍｏｄｉｆｙ．ｊｐｇ」の画像データ１２２を表示対象として決定する。
【００５８】
画像処理部１１８は、画像決定部１１２によって決定された画像データ１２２に基づき、表示指示コマンドに応じて画像を生成し、表示部１４０は、当該画像を表示する（ステップＳ１３）。
【００５９】
以上のように、本実施例によれば、ＴＶ１００は、固有情報に基づいて画像処理対象の画像データ１２２を決定することができるため、複数の機器間において画像処理実行時に画像データを送受信することなくコマンドに応じた画像処理を実行することができる。
【００６０】
また、本実施例によれば、ＴＶ１００は、他の機器から画像データを受信した際に当該他の機器と同一の算法で固有情報を生成し、当該固有情報と画像データを関連付けて記憶することにより、複数の機器間において画像処理実行時に画像データを送受信することなくコマンドに応じた画像処理を実行することができる。
【００６１】
特に、本実施例によれば、フォトビューワ２００によって画像が表示または選択された場合、ＴＶ１００が、当該画像を即座に表示することができる。これにより、ＤＬＮＡ環境等において、複数の機器（ＴＶ１００およびフォトビューワ２００）が連携してスムーズに動作することができる。また、これにより、ユーザーは、携帯型のフォトビューワ２００の画面に表示された画像を選択することにより、ＴＶ１００のリモコン等を操作することなく、選択した画像をＴＶ１００の画面にスムーズに表示することができる。
【００６２】
また、本実施例によれば、ＴＶ１００は、表示部１４０の表示能力に応じて編集した画像データと、固有情報とを関連付けて記憶することにより、表示部１４０が画像を表示する際に適切な画像を表示することができる。
【００６３】
また、本実施例によれば、ＴＶ１００は、元の画像情報の固有情報と、編集後の画像データとを関連付けて画像データ１２２として記憶することにより、画像の表示指示があった場合に元の画像に代えてサムネイル画像等を表示することができる。
【００６４】
なお、本発明の適用は上述した実施例に限定されず、種々の変形が可能である。
【００６５】
例えば、上述した実施例では、更新部１１６は、編集後の画像データを記憶したが、編集前の画像データを固有情報と関連付けて画像データ１２２として記憶してもよい。
【００６６】
また、通信部１３０は、フォトビューワ２００から画像データ２２２を受信してもよい。この場合、画像データ２２２に固有情報が含まれるため、固有情報生成部１１４を省略することができる。
【００６７】
また、通信部１３０は、フォトビューワ２００から複数の固有情報または複数の画像データ２２２と、一覧表示指示コマンドを受信してもよい。この場合、画像決定部１１２は、当該複数の固有情報に基づいて複数の画像データ１２２を決定し、画像処理部１１８は、決定された複数の画像データ１２２に基づいて複数の画像の一覧表示を行ってもよい。
【００６８】
また、更新部１１６は、通信部１３０によって受信された画像データを記憶部１２０の記憶容量に応じて編集するとともに、編集後の画像データと、固有情報とを関連付けて記憶部１２０に画像データ１２２として記憶してもよい。
【００６９】
これによれば、ＴＶ１００は、例えば、記憶部１２０の空き容量が記憶可能容量の半分より少ない場合は画像データ１２２を圧縮して記憶することにより、より多くの画像データ１２２を記憶することができる。
【００７０】
なお、画像処理機器は、ＴＶ１００やフォトビューワ２００には限定されず、例えば、プロジェクタ、プリンタ、デジタルカメラ、デジタルビデオカメラ等であってもよい。例えば、本発明をプリンタに適用した場合、プリンタは、フォトビューワ２００からの印刷指示コマンドと固有情報に応じて画像を印刷してもよい。また、フォトビューワ２００にＴＶ１００の画像決定部１１２等の機能を実装してもよく、ＴＶ１００からフォトビューワ２００に対して画像の表示指示等を行ってもよい。
【００７１】
また、画像処理指示は、表示指示、一覧表示指示、印刷指示以外にも、例えば、サムネイル画像表示指示、スライドショー表示指示、圧縮指示、伸張指示、暗号化指示、復号化指示、転送指示、削除指示、編集指示等であってもよい。
【００７２】
また、複数の画像処理機器間の画像データの送受信手法は、伝送路を介した通信手法には限定されず、例えば、ある画像処理機器内の画像データをメモリカードに記憶し、当該メモリカードを他の画像処理機器に差し込むことによって画像データを転送する手法等を採用してもよい。
【００７３】
また、更新部１１６の編集機能等を処理部２１０に設けてもよい。これによれば、例えば、フォトビューワ２００がデータ容量を削減した画像情報を生成し、元の画像データから生成された固有情報と編集後の画像情報をＴＶ１００に送信することにより、データの送受信にかかる時間を短縮できる。
【図面の簡単な説明】
【００７４】
【図１】本実施例のＴＶの機能ブロック図である。
【図２】図２（Ａ）は、フォトビューワにおける画像データの一例を示す図であり、図２（Ｂ）は、ＴＶにおける画像データの一例を示す図であり、図２（Ｃ）は、ＴＶにおける画像データの他の一例を示す図である。
【図３】本実施例の画像データの記憶手順を示すフローチャートである。
【図４】本実施例の画像の表示手順を示すフローチャートである。
【符号の説明】
【００７５】
１００  ＴＶ（画像処理機器）、１１２  画像決定部、１１４  固有情報生成部、１１６  更新部、１１８  画像処理部、１２０、２２０  記憶部、１２２、２２２  画像データ、１３０、２３０  通信部、１４０、２４０  表示部、２００  フォトビューワ（他の機器、画像表示機器）
【図１】
2007286343.tif 000003
【図２】
2007286343.tif 000004
【図３】
2007286343.tif 000005
【図４】
2007286343.tif 000006